(57)【要約】【課題】突発的なイベントなどが発生しても、そのイベントが発生した生活圏内のユーザの通信および生活圏外のユーザの通信を柔軟に確保する。【解決手段】優先度情報記憶手段１ａは、加入者が無線端末５を用いて行った通信回数を含む、加入者の発着信における優先度を示した優先度情報を基地局２ａ〜２ｃ，３ａ〜３ｃ単位で記憶する。通信情報受信手段１ｂは、無線端末５の通信に関する通信情報を、基地局２ａ〜２ｃ，３ａ〜３ｃを制御する無線ネットワーク制御装置４ａ，４ｂから受信する。優先度判断手段１ｃは、通信情報の受信に基づいて、優先度情報記憶手段１ａの通信回数を更新し、更新した通信回数に基づいて優先度情報の優先順を判断する。優先度情報送信手段１ｄは、優先度情報記憶手段１ａに記憶されている優先度情報を基地局２ａ〜２ｃ，３ａ〜３ｃに送信する。【選択図】図１
2008060804.tif 000002
【特許請求の範囲】
【請求項１】
無線端末の発着信を規制する規制端末管理装置において、
加入者が前記無線端末を用いて行った通信回数を含む、前記加入者の発着信における優先度を示した優先度情報を基地局単位で記憶する優先度情報記憶手段と、
前記無線端末の通信に関する通信情報を、前記基地局または前記基地局を制御する無線ネットワーク制御装置から受信する通信情報受信手段と、
前記通信情報の受信に基づいて前記優先度情報記憶手段の前記通信回数を更新し、更新した前記通信回数に基づいて前記優先度情報の優先順を判断する優先度判断手段と、
前記優先度情報記憶手段に記憶されている前記優先度情報を、前記基地局に送信する優先度情報送信手段と、
を有することを特徴とする規制端末管理装置。
【請求項２】
優先度判断手段は、前記通信情報受信手段によって、前記通信情報が受信された場合、前記通信回数を１増加させることを特徴とする請求項１記載の規制端末管理装置。
【請求項３】
前記優先度情報送信手段は、前記優先度情報を周期的に前記基地局に送信することを特徴とする請求項１記載の規制端末管理装置。
【請求項４】
前記基地局は、優先度の高い前記加入者から順に、輻輳状態に応じた人数分の発着信を許可することを特徴とする請求項１記載の規制端末管理装置。
【請求項５】
前記優先度情報記憶手段は、時間帯別に前記優先度情報を管理することを特徴とする請求項１記載の規制端末管理装置。
【発明の詳細な説明】
【技術分野】
【０００１】
本発明は規制端末管理装置に関し、特に無線端末の発着信を規制する規制端末管理装置に関する。
【背景技術】
【０００２】
Ｗ−ＣＤＭＡ（Wideband-Code Division Multiple Access）は、既存のＣＤＭＡより広帯域の周波数を使用する通信方式であり、データ転送速度が速く、通信品質が高いというメリットがある。
【０００３】
Ｗ−ＣＤＭＡのネットワークシステムでは、イベント（例えば、花火大会、コンサート、スポーツの試合など）などにより、特定の基地局における通信トラフィックが増大すると、呼が輻輳したり通信劣化を生じたりして、通信が行えなくなる。例えば、基地局が同時に送受信するチャネル数が増大すると、その周波数帯域における各無線通信チャネルに対する干渉電力レベルが増加して、通信品質を維持できなくなる。
【０００４】
そこで、通信品質を維持できなくなる前に、その無線通信エリアに存在する各移動機に対して発着信規制を行うようにしている。この発着信規制が実施されると、基地局から移動機に対し、発着信規制実施中である旨の情報が送られ、移動機からの発信および着信が基地局において拒否される。
【０００５】
この発着信規制は、通常、全ての移動機に対して同じ条件で行われるが、輻輳発生時に、事前登録されていた移動機を優先的に接続する技術が提供されている（例えば、特許文献１参照）。また、同一番号への単位時間当たりの発呼回数が多い移動機を、優先的に接続する技術が提供されている（例えば、特許文献２参照）。また、実際の運用として、移動機購入時に自動的に何れかのグループに振り分け、輻輳発生時には、輻輳度に応じて発信を許可するグループ数を制限し、一定時間毎に規制をかけるグループを変更する発信規制が行われている（例えば、非特許文献１参照）。
【特許文献１】特開平５−３１６０３９号公報
【特許文献２】特開２００４−２３６４８号公報
【非特許文献１】“災害時における情報通信システムの利用に関する検討会資料編”、［online］、総務省東北総合通信局、［平成１８年５月１０日検索］、インターネット〈URL: http://www.ttb.go.jp/saigai/houkoku/index.html〉
【発明の開示】
【発明が解決しようとする課題】
【０００６】
しかし、特許文献１では、上述したような花火大会などのイベントが行われた場合、イベントの発生箇所近辺を通常の生活圏内としているユーザも事前登録しなければ、発着信規制されるという問題点があった。
【０００７】
また、特許文献２では、発呼要求しているエリアを生活圏内としていない移動機も、単位時間当たりの発呼回数の数によってそのエリア内で優先機として扱われ、そのエリアを生活圏内としているユーザの移動機も発着信規制されるという問題点があった。
【０００８】
さらに、非特許文献１では、生活圏内での使用頻度に関係なく、契約時に割り当てられた各グループの移動機に対して均等に発着信規制が行われるため、当該エリアを生活圏内としている移動機の通信は必ずしも確保されているとは言えないという問題点があった。
【０００９】
本発明はこのような点に鑑みてなされたものであり、突発的なイベントなどが発生しても、そのイベントが発生した生活圏内のユーザの通信および生活圏外のユーザの通信を柔軟に確保することができる規制端末管理装置を提供することを目的とする。
【課題を解決するための手段】
【００１０】
本発明では上記問題を解決するために、図１に示すような無線端末５の発着信を規制する規制端末管理装置１において、加入者が無線端末を用いて行った通信回数を含む、加入者の発着信における優先度を示した優先度情報を基地局２ａ〜２ｃ，３ａ〜３ｃ単位で記憶する優先度情報記憶手段１ａと、無線端末５の通信に関する通信情報を、基地局２ａ〜２ｃ，３ａ〜３ｃまたは基地局２ａ〜２ｃ，３ａ〜３ｃを制御する無線ネットワーク制御装置４ａ，４ｂから受信する通信情報受信手段１ｂと、通信情報の受信に基づいて優先度情報記憶手段１ａの通信回数を更新し、更新した通信回数に基づいて優先度情報の優先順を判断する優先度判断手段１ｃと、優先度情報記憶手段１ａに記憶されている優先度情報を、基地局２ａ〜２ｃ，３ａ〜３ｃに送信する優先度情報送信手段１ｄと、を有することを特徴とする規制端末管理装置１が提供される。
【００１１】
このような規制端末管理装置１によれば、基地局２ａ〜２ｃ，３ａ〜３ｃ単位で優先度情報を管理し、加入者の発着信時における優先度を判断する。
【発明の効果】
【００１２】
本発明の規制端末管理装置では、基地局単位で優先度情報の管理を行い、加入者の発着信時における優先度を判断するようにした。これによって、突発的なイベントなどが発生しても、そのイベントが発生した生活圏内のユーザの通信および生活圏外のユーザの通信を柔軟に確保することができるようになる。
【発明を実施するための最良の形態】
【００１３】
以下、本発明の原理を図面を参照して詳細に説明する。
図１は、規制端末管理装置の概要を説明する図である。図には規制端末管理装置１、基地局２ａ〜２ｃ，３ａ〜３ｃ、無線ネットワーク制御装置４ａ，４ｂ、および無線端末５が示してある。
【００１４】
規制端末管理装置１は、有線で無線ネットワーク制御装置４ａ，４ｂと接続されている。無線ネットワーク制御装置４ａは、基地局２ａ〜２ｃと有線で接続され、無線ネットワーク制御装置４ｂは、基地局３ａ〜３ｃと有線で接続されている。無線ネットワーク制御装置４ａ，４ｂは、配下の基地局２ａ〜２ｃ，３ａ〜３ｃを制御している。無線端末５は、基地局２ａ〜２ｃ，３ａ〜３ｃと無線通信を行う。なお、無線端末５は、基地局２ａのセルに属し、基地局２ａと無線通信を行う。
【００１５】
規制端末管理装置１は、優先度情報記憶手段１ａ、通信情報受信手段１ｂ、優先度判断手段１ｃ、および優先度情報送信手段１ｄを有している。
優先度情報記憶手段１ａは、加入者の発着信における優先度を示した優先度情報を基地局２ａ〜２ｃ，３ａ〜３ｃ単位で記憶する。優先度情報には、加入者が無線端末５を用いて行った通信回数が含まれる。
【００１６】
例えば、優先度情報記憶手段１ａは、基地局２ａでは、加入者ａの通信回数は１０１で優先度が最も高く、加入者ｂ，ｃの通信回数は９９で優先度が次に高く、…、と優先度情報を記憶している。同様に、基地局毎において、加入者の優先度情報を記憶している。
【００１７】
通信情報受信手段１ｂは、無線端末５の通信に関する通信情報を、基地局２ａ〜２ｃ，３ａ〜３ｃを制御する無線ネットワーク制御装置４ａ，４ｂから受信する。なお、通信情報受信手段１ｂは、直接、基地局２ａ〜２ｃ，３ａ〜３ｃから受信するようにしてもよい。通信情報は、例えば、加入者が通信を行った基地局の情報や通信時間、加入者自身の識別情報などを有している。
【００１８】
優先度判断手段１ｃは、通信情報受信手段１ｂの通信情報の受信に基づいて、優先度情報記憶手段１ａの通信回数を更新する。そして、更新した通信回数に基づいて優先度情報の優先順を判断する。
【００１９】
例えば、通信情報受信手段１ｂが上記の加入者ｂの通信情報を受信したとする。この場合、優先度判断手段１ｃは、加入者ｂの通信回数を９９から１００に更新する。そして、優先度判断手段１ｃは、更新した通信回数１００に基づいて、加入者ｂの優先順を判断する。この場合、加入者ｂの優先度は、加入者ａの次になる。
【００２０】
優先度情報送信手段１ｄは、優先度情報記憶手段１ａに記憶されている優先度情報を、無線ネットワーク制御装置４ａ，４ｂを介して、基地局２ａ〜２ｃ，３ａ〜３ｃに送信する。なお、規制端末管理装置１が、直接、基地局２ａ〜２ｃ，３ａ〜３ｃと接続される場合、優先度情報を直接基地局２ａ〜２ｃ，３ａ〜３ｃに送信するようにしてもよい。
【００２１】
このように、規制端末管理装置１は、基地局２ａ〜２ｃ，３ａ〜３ｃ単位で、加入者の優先度を判断する。これにより、突発的なイベントなどが発生しても、そのイベントが発生した生活圏内のユーザの通信および生活圏外のユーザの通信を柔軟に確保することができるようになる。
【００２２】
次に、本発明の実施の形態を図面を参照して詳細に説明する。
図２は、規制端末管理サーバを適用した無線通信ネットワークのシステム構成例を示した図である。図に示す無線通信ネットワークは、Ｗ−ＣＤＭＡにおける無線通信ネットワークであり、規制端末管理サーバ１０、基地局１１ａ〜１１ｃ，１２ａ〜１２ｃ，１３ａ〜１３ｃ、ＲＮＣ（Radio Network Controller）１４ａ〜１４ｃ、ＭＳＣ（Mobile Switching Center）１５ａ，１５ｂ、およびコアネットワーク１６によって構成されている。
【００２３】
基地局１１ａ〜１１ｃは、ＲＮＣ１４ａと有線によって接続されている。基地局１２ａ〜１２ｃおよび基地局１３ａ〜１３ｃも同様に、ＲＮＣ１４ｂ，１４ｃと有線によって接続されている。
【００２４】
ＲＮＣ１４ａ，１４ｂは、ＭＳＣ１５ａに有線で接続されている。ＲＮＣ１４ｃは、ＭＳＣ１５ｂに有線で接続されている。
ＭＳＣ１５ａ，１５ｂは、コアネットワーク１６に有線で接続されている。規制端末管理サーバ１０は、ＲＮＣ１４ａ〜１４ｃに有線で接続されている。
【００２５】
基地局１１ａ〜１１ｃ，１２ａ〜１２ｃ，１３ａ〜１３ｃの配下には、図示していないが、例えば、携帯電話である移動機（無線端末）が存在する。基地局１１ａ〜１１ｃ，１２ａ〜１２ｃ，１３ａ〜１３ｃは、自己のセルに属している移動機と、Ｗ−ＣＤＭＡによる無線通信を行う。なお、基地局１１ａのセルに属している移動機と、基地局１３ａに属している移動機とが通信する場合、２つの移動機は、基地局１１ａ、ＲＮＣ１４ａ、ＭＳＣ１５ａ、コアネットワーク１６、ＭＳＣ１５ｂ、ＲＣＮ１４ｃおよび基地局１３ａを介して通信を行うことになる。
【００２６】
規制端末管理サーバ１０は、移動機（加入者）の通信情報を受信する。例えば、規制端末管理サーバ１０は、加入者が通信を行った基地局の識別情報、通信時間（通信を開始した時間および通信を行った時間）、加入者自身の識別情報や加入者が属していたセルの位置情報などの通信情報を受信する。
【００２７】
規制端末管理サーバ１０は、受信する通信情報に基づいて、加入者が何回通信を行ったかなどの加入者情報を管理している。規制端末管理サーバ１０は、基地局単位で、加入者情報を管理している。
【００２８】
なお、同じ加入者が、例えば、基地局１１ａで無線通信を行い、基地局１２ｃで無線通信を行った場合、基地局１１ａ，１２ｃのそれぞれで、加入者が何回通信を行ったかなど、加入者情報を管理することになる。
【００２９】
規制端末管理サーバ１０は、基地局毎に管理している加入者情報に基づいて、基地局毎の輻輳発生時に通信できる加入者の優先度を決定する。例えば、規制端末管理サーバ１０は、加入者情報に含まれている移動機の通信回数の多い順に、加入者の優先度を決定する。規制端末管理サーバ１０は、優先度を決定した加入者の情報をＲＮＣ１４ａ〜１４ｃに通知する。
【００３０】
ＲＮＣ１４ａ〜１４ｃは、規制端末管理サーバ１０から受信した加入者の優先度を基地局１１ａ〜１１ｃ，１２ａ〜１２ｃ，１３ａ〜１３ｃに配信する。基地局１１ａ〜１１ｃ，１２ａ〜１２ｃ，１３ａ〜１３ｃは、ＲＮＣ１４ａ〜１４ｃから通知された優先度に基づいて、輻輳発生時に、加入者の発着信規制の制御を行う。
【００３１】
このように、規制端末管理サーバ１０は、基地局単位で加入者情報を管理し、基地局単位で加入者の優先度を決定する。そして、基地局毎に決定した加入者の優先度を各基地局に配信するようにした。これにより、花火大会などの突発的なイベントなどが発生しても、そのイベントが発生した生活圏内のユーザの通信および生活圏外のユーザの通信を柔軟に確保することができる。
【００３２】
次に、図２の規制端末管理サーバ１０、ＲＮＣ１４ａ、および基地局１１ａの機能について説明する。まず、規制端末管理サーバ１０の機能について説明する。
図３は、規制端末管理サーバの機能ブロック図である。図に示すように規制端末管理サーバ１０は、通信情報受信部２１、加入者情報更新部２２、基地局毎加入者情報管理ＴＢ（ＴＢ：テーブル）２３、優先度判断部２４、基地局毎優先加入者情報ＴＢ２５、および優先加入者情報通知部２６を有している。
【００３３】
通信情報受信部２１は、通信を行った加入者の通信情報を、ＲＮＣ１４ａ〜１４ｃから受信する。
加入者情報更新部２２は、通信情報受信部２１より受信された通信情報を基に、基地局毎加入者情報管理ＴＢ２３のデータ更新を行う。例えば、加入者情報更新部２２は、通信情報が受信されると、基地局毎加入者情報管理ＴＢ２３に記憶される加入者情報の通信回数を１増加させる。加入者情報更新部２２は、基地局毎加入者情報管理ＴＢ２３のデータ更新完了後、データ更新を行った旨を優先度判断部２４に通知する。
【００３４】
基地局毎加入者情報管理ＴＢ２３は、基地局毎に加入者の加入者情報を記憶する。基地局毎加入者情報管理ＴＢ２３は、例えば、加入者が行った通信回数、通信時間、位置登録回数、在圏時間、ハンドオーバ回数、再接続回数などの加入者情報を記憶する。基地局毎優先加入者情報ＴＢ２５は、加入者情報を、輻輳時において発着信を許可する順（優先順）に保持している。
【００３５】
優先度判断部２４は、基地局毎加入者情報管理ＴＢ２３と基地局毎優先加入者情報ＴＢ２５とに基づいて、加入者の優先度を判断する。例えば、基地局毎加入者情報管理ＴＢ２３のある加入者の通信回数が更新されたとする。この場合、優先度判断部２４は、更新された通信回数に対応する基地局毎優先加入者情報ＴＢ２５の通信回数を更新し、この更新された通信回数に基づいて、基地局毎優先加入者情報ＴＢ２５に記憶されている加入者情報の優先順を並べ替える。
【００３６】
なお、優先度判断部２４は、通信回数の他に、加入者情報に含まれる通信時間、位置登録などの情報を用いて、優先度を決定するようにしてもよい。また、この場合、情報に重み付けをすることができる。例えば、通信回数は、他の情報に対して倍にするなどができる。
【００３７】
優先加入者情報通知部２６は、例えば、指定された周期または保守者からのトリガに応じて、基地局毎優先加入者情報ＴＢ２５に記憶されている優先順に並んだ加入者情報（優先加入者情報）を、適切なＲＮＣ１４ａ〜１４ｃに送信する。例えば、基地局毎優先加入者情報ＴＢ２５のある優先加入者情報が、図２の基地局１１ａのセルに属する優先加入者情報であった場合、優先加入者情報通知部２６は、基地局１１ａを管理しているＲＮＣ１４ａに優先加入者情報を送信することになる。
【００３８】
図３の基地局毎加入者情報管理ＴＢ２３のデータ構成例について説明する。
図４は、基地局毎加入者情報管理ＴＢのデータ構成例を説明する図である。基地局毎加入者情報管理ＴＢ２３は、図のデータ２３ａに示すように、加入者情報を昼間帯（例えば、９：００〜１８：００）の領域と夜間帯（例えば、１８：００〜９：００）の領域とに分けて管理している。なお、加入者情報更新部２２は、加入者の通信を行った時間によって、加入者情報を昼間帯または夜間帯の領域に格納することになる。
【００３９】
基地局毎加入者情報管理ＴＢ２３は、さらに、データ２３ｂに示すように、昼間帯および夜間帯の領域において、ＲＮＣ毎に加入者の加入者情報を管理している。また、データ２３ｃに示すように、ＲＮＣ毎の領域において、基地局毎の加入者情報を管理している。そして、データ２３ｄに示すように、基地局毎の領域において、加入者情報を管理している。加入者情報は、加入者が行った通信回数、通信時間、位置登録回数、在圏時間、ハンドオーバ回数、再接続回数などを有するが、図では、通信回数のみ示している。
【００４０】
このように基地局毎加入者情報管理ＴＢ２３は、時間帯、各時間帯におけるＲＮＣ毎、各ＲＮＣの配下にある基地局毎と階層的に加入者の使用状況を管理している。
なお、基地局毎加入者情報管理ＴＢ２３の加入者情報は、通信情報受信部２１によって受信された通信情報に基づいて更新される。例えば、加入者ａの通信情報が受信された場合、図に示す加入者ａの通信回数が１００に更新される。
【００４１】
また、上記では、時間帯の分類は２つであるが、もちろん、３つ以上に分類してもよい。
図３の基地局毎優先加入者情報ＴＢ２５のデータ構成例について説明する。
【００４２】
図５は、基地局毎優先加入者情報ＴＢのデータ構成例を説明する図である。基地局毎優先加入者情報ＴＢ２５も、図４で説明した基地局毎加入者情報管理ＴＢ２３と同様に、加入者情報を階層的に管理している。ただし、加入者情報は、通信回数が多い順となるように並んでいる。すなわち、加入者情報は、輻輳時の発着信が許可される順に並んでいる（優先加入者情報）。優先加入者情報は、加入者が行った通信回数、通信時間、位置登録回数、在圏時間、ハンドオーバ回数、再接続回数などを有するが、図では、通信回数のみ示している。
【００４３】
優先度判断部２４は、基地局毎加入者情報管理ＴＢ２３のある加入者の加入者情報が更新されると、対応する基地局毎優先加入者情報ＴＢ２５の加入者情報を更新する。例えば、図４の昼間帯、ＲＮＣ１、および基地局１に属する加入者１の通信回数が９９から１００に更新されたとする。この場合、優先度判断部２４は、基地局毎優先加入者情報ＴＢ２５を昼間帯、ＲＮＣ１、基地局１、加入者１と順に検索し、加入者１の通信回数に１を加算する。そして、優先度判断部２４は、更新した通信回数に基づいて、優先加入者情報を入れ替える。この例の場合、加入者１の通信回数は、データ２５ａ，２５ｂに示すように、９９から１００になるので、加入者１の優先順位は加入者ｃの次となる。
【００４４】
次に、図２のＲＮＣ１４ａの機能について説明する。
図６は、ＲＮＣの機能ブロック図である。図に示すようにＲＮＣ１４ａは、呼制御部３１、通話中加入者情報ＴＢ３２、通信情報通知部３３、優先加入者情報受信部３４、および優先加入者情報配信部３５を有している。
【００４５】
呼制御部３１は、移動機の呼処理の制御を行うとともに、加入者の通信に関する通信情報を、通話中加入者情報ＴＢ３２に記録する。また、呼制御部３１は、通信情報を通信情報通知部３３に出力する。
【００４６】
通話中加入者情報ＴＢ３２は、呼制御部３１によって、加入者の通信に関する通信情報が記録される。なお、呼制御部３１の呼処理および通話中加入者情報ＴＢ３２は、既存の処理である。
【００４７】
通信情報通知部３３は、呼制御部３１から出力される通信情報を規制端末管理サーバ１０に送信する。なお、規制端末管理サーバ１０の通信情報受信部２１が、通信情報通知部３３が送信する通信情報を受信する。これにより、図４で説明した基地局毎加入者情報管理ＴＢ２３が更新されることになる。
【００４８】
優先加入者情報受信部３４は、規制端末管理サーバ１０の優先加入者情報通知部２６から通知される、加入者の優先加入者情報を受信する。
優先加入者情報配信部３５は、優先加入者情報受信部３４によって受信された、基地局毎における優先加入者情報を、該当する基地局に配信する。
【００４９】
なお、上記では、ＲＮＣ１４ａについて説明したが、他のＲＮＣ１４ｂ，１４ｃもＲＮＣ１４ａと同様の機能を有している。
次に、図２の基地局１１ａの機能について説明する。
【００５０】
図７は、基地局の機能ブロック図である。図に示すように基地局１１ａは、優先加入者情報受信部４１、優先加入者情報更新部４２、優先加入者情報ＴＢ４３、輻輳状態管理部４４、発信優先数ＴＢ４５、発信規制加入者選択部４６、加入者毎規制管理ＴＢ４７、および規制制御部４８を有している。
【００５１】
優先加入者情報受信部４１は、ＲＮＣ１４ａから通知される優先加入者情報を受信する。受信された優先加入者情報は、優先加入者情報更新部４２に出力される。
優先加入者情報更新部４２は、優先加入者情報受信部４１により受信された優先加入者情報に基づいて、優先加入者情報ＴＢ４３のデータを更新する。
【００５２】
優先加入者情報ＴＢ４３は、当該基地局１１ａの優先加入者（輻輳発生時の規制時に優先的に発着信が認められる加入者）の情報が記憶される。
輻輳状態管理部４４は、トラフィック量により、ネットワークの輻輳レベルを監視する。輻輳状態管理部４４は、監視しているネットワークの輻輳レベルを発信規制加入者選択部４６に通知する。
【００５３】
発信優先数ＴＢ４５は、輻輳レベルに応じて、発着信を許可する加入者の数が設定されている。この設定は、例えば、保守者によって行われ、輻輳レベルが高い場合、発着信を許可する加入者の数は少なく、輻輳レベルが低い場合、発着信を許可する加入者の数は多くなるように設定される。
【００５４】
発信規制加入者選択部４６は、輻輳状態管理部４４より取得した当該基地局１１ａの輻輳状態に応じて、発信優先数ＴＢ４５から、発着信を許可する加入者の数を取得する。発信規制加入者選択部４６は、優先度の高い加入者から順に、取得した加入者の数分、発着信が許可されるように加入者毎規制管理ＴＢ４７のデータを更新する。加入者毎規制管理ＴＢ４７には、当該基地局１１ａに属している加入者の発着信許可に関する情報を記憶している。
【００５５】
規制制御部４８は、輻輳が発生すると、加入者毎規制管理ＴＢ４７を参照して、移動機の発着信の規制を行う。
なお、上記では、基地局１１ａについて説明したが、他の基地局１１ｂ，１１ｃ，１２ａ〜１２ｃ，１３ａ〜１３ｃも基地局１１ａと同様の機能を有している。
【００５６】
図７の優先加入者情報ＴＢ４３のデータ構成例について説明する。
図８は、優先加入者情報ＴＢのデータ構成例を示した図である。図に示すように優先加入者情報ＴＢ４３には、例えば、加入者を識別する識別子（図中、加入者ｃ、加入者１、加入者ａ、…）、その加入者が当該基地局１１ａにおいて通信を行った回数、および通信可Ｆｌａｇが記憶される。優先加入者情報ＴＢ４３は、優先度の高い順に加入者情報を記憶し、図の例では、加入者ｃが最も優先度が高く、順に加入者１，ａ，…，ｂとなっている。
【００５７】
なお、通信可Ｆｌａｇは、以下で説明するが、発信規制加入者選択部４６によって設定される。
図９は、フラグ設定された優先加入者情報ＴＢのデータ構成例を示したである。図７で説明した発信規制加入者選択部４６は、輻輳状態管理部４４より取得した当該基地局１１ａの輻輳状態に応じて、発信優先数ＴＢ４５より、発着信を許可する加入者の数を取得する。そして、取得した数分、優先度の高い加入者から、通信可Ｆｌａｇを１に設定する。例えば、発着信を許可する加入者の数が１０人であれば、最上位の加入者ｃから１０人分、通信可Ｆｌａｇが１に設定される。
【００５８】
図７の発信優先数ＴＢ４５のデータ構成例について説明する。
図１０は、発信優先数ＴＢのデータ構成例を示した図である。図に示すように発信優先数ＴＢ４５には、輻輳レベル毎における、発着信を許可する加入者の数（通信許可数）が記憶されている。例えば、輻輳レベルが９０％より大きく１００％以下の場合、発着信が許可される加入者の数は０である。輻輳レベルが８０％より大きく９０％以下の場合、発着信が許可される加入者の数は１０である。
【００５９】
図７で説明した発信規制加入者選択部４６は、輻輳状態管理部４４から基地局１１ａにおける輻輳レベルを取得し、発信優先数ＴＢ４５を参照して、発着信を許可する加入者の数を取得する。例えば、現在の基地局１１ａにおける輻輳レベルが８３％であったとする。この場合、発信規制加入者選択部４６は、図１０の発信優先数ＴＢ４５の例より、発着信を許可する加入者の数１０を取得する。
【００６０】
図７の加入者毎規制管理ＴＢ４７のデータ構成例について説明する。
図１１は、加入者毎規制管理ＴＢのデータ構成例を示した図である。図に示すように加入者毎規制管理ＴＢ４７には、基地局１１ａに属する加入者の識別子が記憶され、各加入者に対して、輻輳時の発着信許可を示す規制Ｆｌａｇが記憶される。規制Ｆｌａｇが、例えば、１などの許可を示すフラグである場合、加入者は、輻輳時においても、発着信が許可される。一方、規制Ｆｌａｇが、例えば、０などの不許可を示すフラグである場合、加入者は、発着信が許可されず、通信することができない。
【００６１】
次に、無線ネットワークシステムのデータの流れについて説明する。
図１２は、無線ネットワークシステムのデータの流れを説明する図である。図１２には、図２のシステム構成例の一部が記載されている。図２と同じものには同じ符号を付し、その説明を省略する。また、図に示す移動機５１は、基地局１１ａのセルに属し、基地局１１ａと無線通信を行うとする。
【００６２】
加入者が移動機５１の発信ボタンを押下すると、移動機５１が属している基地局１１ａは、矢印Ａ１に示すように上位のＲＮＣ１４ａに対して発信接続要求を行う。
ＲＮＣ１４ａは、基地局１１ａからの発信接続要求を受けると呼制御を行う。そして、図の矢印Ａ２に示すように、基地局や加入者の情報を含む通信情報を規制端末管理サーバ１０に送信する。
【００６３】
規制端末管理サーバ１０は、ＲＮＣ１４ａからの通信情報を受信すると、受信した通信情報に基づいて、加入者が行った通信回数、通信時間、位置登録回数などの加入者情報を更新する。そして、規制端末管理サーバ１０は、加入者情報に基づいて、輻輳時の発着信を許可する加入者の優先度を決定する。
【００６４】
規制端末管理サーバ１０は、優先加入者情報を、例えば、指定された周期または保守者からのトリガに応じて、矢印Ａ３に示すようにＲＮＣ１４ａに送信する。
ＲＮＣ１４ａは、規制端末管理サーバ１０から送信された優先加入者情報を矢印Ａ４に示すように基地局１１ａに送信する。
【００６５】
基地局１１ａは、受信した優先加入者情報に基づいて、優先度の高い加入者のみ発着信を許可する。
このように、加入者が移動機５１で通信を行うと、Ａ２に示すようにＲＮＣ１４ａから通信情報が規制端末管理サーバ１０に送信される。これにより、規制端末管理サーバ１０は、加入者情報を更新し、さらに、加入者の優先順を決定する。そして、規制端末管理サーバ１０は、矢印Ａ３，Ａ４に示すように、ＲＮＣ１４ａを介して、優先加入者情報を基地局１１ａに送信する。これにより、基地局１１ａは、移動機に対して、輻輳時に発着信を許可したり規制したりすることができる。
【００６６】
次に、規制端末管理サーバ１０、ＲＮＣ１４ａ、基地局１１ａの動作を、シーケンス図を用いて説明する。
図１３は、無線通信ネットワークのシーケンス図のその１である。
【００６７】
［ステップＳ１］基地局１１ａは、例えば、移動機から発信要求があると、既存部位によってＲＮＣ１４ａに対し、発信接続要求を行う。
［ステップＳ２］ＲＮＣ１４ａの呼制御部３１は、基地局１１ａから発信接続要求を受けると、呼制御を行う。また、呼制御部３１は、発信要求を行った移動機（加入者）の通信情報を通信情報通知部３３に通知し、通信情報の通知要求を行う。
【００６８】
［ステップＳ３］ＲＮＣ１４ａの通信情報通知部３３は、呼制御部３１からの通信情報通知要求を受けて、規制端末管理サーバ１０に対して、通信情報を通知する。
［ステップＳ４］規制端末管理サーバ１０の通信情報受信部２１は、ＲＮＣ１４ａから通信情報を受信すると、加入者情報更新部２２に対し、加入者情報更新要求を行う。
【００６９】
［ステップＳ５］規制端末管理サーバ１０の加入者情報更新部２２は、通信情報受信部２１から加入者情報更新要求を受けると、基地局毎に加入者情報を記憶した基地局毎加入者情報管理ＴＢ２３のデータ更新を行う。
【００７０】
［ステップＳ６］規制端末管理サーバ１０の加入者情報更新部２２は、基地局毎加入者情報管理ＴＢ２３のデータ更新完了後、優先度判断部２４に対して優先順入れ替え要求を行う。
【００７１】
［ステップＳ７］規制端末管理サーバ１０の優先度判断部２４は、加入者情報更新部２２からの優先順入れ替え要求を受けると、データ更新された基地局毎加入者情報管理ＴＢ２３に基づいて、基地局毎優先加入者情報ＴＢ２５の通信回数を更新する。そして、優先度判断部２４は、基地局毎優先加入者情報ＴＢ２５の優先加入者情報を、更新された通信回数に基づいて入れ替える。
【００７２】
このように、移動機が発信要求を行うと、その移動機に関する通信情報がＲＮＣ１４ａから規制端末管理サーバ１０に送信される。規制端末管理サーバ１０は、通信情報を受信すると、基地局毎に加入者情報を記憶した基地局毎加入者情報管理ＴＢ２３のデータ更新を行う。そして、規制端末管理サーバ１０は、基地局毎優先加入者情報ＴＢ２５を更新し、加入者の優先度を決定する。これにより、規制端末管理サーバ１０は、輻輳時に発着信を許可すべき加入者の優先加入者情報を保持することになる。
【００７３】
次に、規制端末管理サーバ１０から基地局１１ａへの優先加入者情報の配信動作について説明する。
図１４は、無線通信ネットワークのシーケンス図のその２である。
【００７４】
［ステップＳ１１］規制端末管理サーバ１０の優先加入者情報通知部２６は、例えば、指定された周期または何らかのトリガに応じて、基地局毎優先加入者情報ＴＢ２５に記憶されている優先加入者情報を取得する。そして、取得した優先加入者情報を、加入者の移動機が属している基地局を配下に持つＲＮＣ１４ａ〜１４ｃに送信する。
【００７５】
［ステップＳ１２］ＲＮＣ１４ａの優先加入者情報受信部３４は、規制端末管理サーバ１０から、基地局毎において優先順に並んだ優先加入者情報を受信する。優先加入者情報受信部３４は、優先加入者情報を受信すると、優先加入者情報配信部３５に対して、優先加入者情報の送信要求を行う。
【００７６】
［ステップＳ１３］ＲＮＣ１４ａの優先加入者情報配信部３５は、優先加入者情報受信部３４から優先加入者情報の送信要求を受けると、優先加入者情報受信部３４が受信した優先加入者情報を基地局１１ａに送信する。
【００７７】
［ステップＳ１４］基地局１１ａの優先加入者情報受信部４１は、ＲＮＣ１４ａから優先加入者情報を受信する。優先加入者情報受信部４１は、優先加入者情報を受信すると、優先加入者情報更新部４２に対して、優先加入者情報の更新要求を行う。
【００７８】
優先加入者情報更新部４２は、優先加入者情報の更新要求を受けると、優先加入者情報受信部４１により受信された優先加入者情報に基づいて、優先加入者情報ＴＢ４３のデータを更新する。
【００７９】
このように、規制端末管理サーバ１０は、保持している輻輳時に発着信を許可すべき優先加入者情報を、ＲＮＣ１４ａを介して基地局１１ａに送信する。これにより、基地局１１ａは、輻輳時に発着信を許可すべき加入者の優先加入者情報を有することになる。
【００８０】
次に、各装置の動作を、フローチャートを用いて説明する。まず、規制端末管理サーバ１０の加入者情報の更新動作について説明する。
図１５は、規制端末管理サーバの加入者情報の更新動作を示したフローチャートである。
【００８１】
［ステップＳ２１］規制端末管理サーバ１０の加入者情報更新部２２は、通信情報受信部２１を介して、ＲＮＣ１４ａ〜１４ｃから通信情報を受信する。例えば、ＲＮＣ１４ａ〜１４ｃの識別子（ＩＤ）、加入者が通信を行った基地局のＩＤ、加入者のＩＤ、加入者が通信した通信時間などの情報を受信する。
【００８２】
［ステップＳ２２］規制端末管理サーバ１０の加入者情報更新部２２は、通信情報受信部２１によって受信された通信情報に基づいて、基地局毎加入者情報管理ＴＢ２３を検索する。このとき、加入者が通信を行った時間に応じて、所定の時間帯における基地局毎加入者情報管理ＴＢ２３を検索する。
【００８３】
［ステップＳ２３］規制端末管理サーバ１０の加入者情報更新部２２は、通信情報に含まれる加入者のＩＤが、すでに基地局毎加入者情報管理ＴＢ２３に登録されているか否か判断する。加入者のＩＤがすでに登録されている場合には、ステップＳ２４に進む。加入者のＩＤが登録されていない場合には、ステップＳ２５に進む。
【００８４】
［ステップＳ２４］規制端末管理サーバ１０の加入者情報更新部２２は、基地局毎加入者情報管理ＴＢ２３の通信回数をカウントアップする。例えば、図４で示したように、加入者が通信を行った時間帯（昼間帯、夜間帯）、ＲＮＣ、基地局に基づいて、加入者の通信回数をカウントアップし、ステップＳ２６に進む。
【００８５】
［ステップＳ２５］規制端末管理サーバ１０の加入者情報更新部２２は、基地局毎加入者情報管理ＴＢ２３に加入者情報をエントリする。
［ステップＳ２６］規制端末管理サーバ１０の加入者情報更新部２２は、優先度判断部２４を起動する。
【００８６】
このようにして、規制端末管理サーバ１０は、ＲＮＣ１４ａ〜１４ｃから受信した通信情報に基づき、加入者の通信回数などを含む加入者情報を保持、管理する。
次に、規制端末管理サーバ１０の優先度の決定について説明する。
【００８７】
図１６は、規制端末管理サーバの優先度の決定動作を示したフローチャートである。
［ステップＳ３１］規制端末管理サーバ１０の優先度判断部２４は、基地局毎加入者情報管理ＴＢ２３から通信回数がカウントアップされた加入者情報を取得する。
【００８８】
［ステップＳ３２］規制端末管理サーバ１０の優先度判断部２４は、取得した加入者情報に基づいて基地局毎優先加入者情報ＴＢ２５を参照する。
［ステップＳ３３］規制端末管理サーバ１０の優先度判断部２４は、取得した加入者情報に対応する加入者の情報が基地局毎優先加入者情報ＴＢ２５に記憶されているか否か判断する。基地局毎優先加入者情報ＴＢ２５に加入者の情報が記憶されている場合、ステップＳ３４に進む。基地局毎優先加入者情報ＴＢ２５に加入者の情報が記憶されていない場合、ステップＳ３５に進む。
【００８９】
［ステップＳ３４］規制端末管理サーバ１０の優先度判断部２４は、基地局毎優先加入者情報ＴＢ２５の通信回数をカウントアップする。例えば、図５で示したように、加入者が通信を行った時間帯（昼間帯、夜間帯）、ＲＮＣ、基地局に基づいて、加入者の通信回数をカウントアップし、ステップＳ３６に進む。
【００９０】
［ステップＳ３５］規制端末管理サーバ１０の優先度判断部２４は、基地局毎優先加入者情報ＴＢ２５に加入者情報をエントリする。
［ステップＳ３６］規制端末管理サーバ１０の優先度判断部２４は、エントリした加入者情報の加入者または通信回数をカウントアップした加入者情報の加入者に対し、上位の優先度を有する加入者が存在するか判断する。上位の優先度の加入者が存在する場合、ステップＳ３７に進む。上位の優先度の加入者が存在しない場合、すなわち、加入者が最上位の優先度を有していた場合、処理を終了する。
【００９１】
［ステップＳ３７］規制端末管理サーバ１０の優先度判断部２４は、当該加入者の通信回数が、上位加入者の通信回数より多いか否か判断する。上位加入者の通信回数より多い場合、ステップＳ３８に進む。上位加入者の通信回数より少ない場合、処理を終了する。
【００９２】
［ステップＳ３８］規制端末管理サーバ１０の優先度判断部２４は、基地局毎優先加入者情報ＴＢ２５の加入者情報を入れ替えて、ステップＳ３６に進む。例えば、図５で示したように、加入者１の通信回数に１が加算された場合、加入者１の優先順位は、加入者ｃの次となる。
【００９３】
このようにして、規制端末管理サーバ１０は、輻輳時における発着信の加入者の優先度を決定する。
次に、基地局１１ａの加入者毎規制管理ＴＢ４７の設定について説明する。
【００９４】
図１７，１８は、基地局の加入者毎規制管理ＴＢの設定動作を示したフローチャートである。
［ステップＳ４１］基地局１１ａの発信規制加入者選択部４６は、輻輳状態管理部４４からネットワークの輻輳レベルを取得する。
【００９５】
［ステップＳ４２］基地局１１ａの発信規制加入者選択部４６は、発信優先数ＴＢ４５を参照して、取得した輻輳レベルに対応する優先加入者の数を取得する。例えば、図１０の例において、輻輳レベルが７５％の場合、取得する優先加入者の数（通信許可数）は、２０となる。
【００９６】
［ステップＳ４３］基地局１１ａの発信規制加入者選択部４６は、優先加入者情報ＴＢ４３の通信可Ｆｌａｇを全てクリアする。例えば、図９で示した優先加入者情報ＴＢ４３の通信可Ｆｌａｇを全て０に設定する。
【００９７】
［ステップＳ４４］基地局１１ａの発信規制加入者選択部４６は、優先加入者情報ＴＢ４３の先頭にある加入者を指し示すように、フラグ設定カウンタを初期設定する。例えば、図８に示す優先加入者情報ＴＢ４３の加入者ｃを指し示すように、フラグ設定カウンタを初期設定する。
【００９８】
なお、フラグ設定カウンタは、インクリメントするたびに、優先度の低い加入者を指し示すようになっている。例えば、図８の例の場合、加入者ｃ，１，ａ，ｎ，…，ｂと加入者を指し示す。
【００９９】
［ステップＳ４５］基地局１１ａの発信規制加入者選択部４６は、フラグ設定カウンタの最大値を、ステップＳ４２で取得した優先加入者数に設定する。
［ステップＳ４６］基地局１１ａの発信規制加入者選択部４６は、優先加入者情報ＴＢ４３の通信可Ｆｌａｇを１に設定する。
【０１００】
［ステップＳ４７］基地局１１ａの発信規制加入者選択部４６は、フラグ設定カウンタのカウント値が、ステップＳ４５で設定した最大値内であるか否か判断する。最大値内であれば、ステップＳ４８に進む。最大値内でなければ、すなわち、最大値を越えた場合には、ステップＳ４９に進む。
【０１０１】
［ステップＳ４８］基地局１１ａの発信規制加入者選択部４６は、フラグ設定カウンタのカウント値に１をインクリメントし、ステップＳ４６に進む。
［ステップＳ４９］基地局１１ａの発信規制加入者選択部４６は、加入者毎規制管理ＴＢ４７から加入者のＩＤを取得する。
【０１０２】
［ステップＳ５０］基地局１１ａの発信規制加入者選択部４６は、ステップＳ４９で取得した加入者のＩＤに基づいて、優先加入者情報ＴＢ４３を参照する。
［ステップＳ５１］基地局１１ａの発信規制加入者選択部４６は、取得した加入者のＩＤが、優先加入者情報ＴＢ４３に記憶されているか否か判断する。記憶されている場合、ステップＳ５２に進む。記憶されていない場合、ステップＳ５３に進む。
【０１０３】
［ステップＳ５２］基地局１１ａの発信規制加入者選択部４６は、優先加入者情報ＴＢ４３の対応する加入者のＩＤの通信可Ｆｌａｇを取得する。そして、加入者毎規制管理ＴＢ４７の対応する加入者のＩＤの規制Ｆｌａｇを規制なしに設定する。
【０１０４】
例えば、ステップＳ４９で取得した加入者のＩＤをａとする。この場合、図９の優先加入者情報ＴＢ４３より、加入者ａの通信可Ｆｌａｇは１である。従って、図１１に示した加入者ａの規制Ｆｌａｇを規制なしに設定する。
【０１０５】
［ステップＳ５３］基地局１１ａの発信規制加入者選択部４６は、加入者毎規制管理ＴＢ４７の対応する加入者のＩＤの規制Ｆｌａｇを規制ありに設定する。
［ステップＳ５４］基地局１１ａの発信規制加入者選択部４６は、加入者毎規制管理ＴＢ４７の全ての加入者において、ステップＳ５０〜Ｓ５３の処理を行ったか否か判断する。全ての加入者の処理を行った場合、処理を終了する。全ての加入者の処理を行っていない場合、ステップＳ５５に進む。
【０１０６】
［ステップＳ５５］基地局１１ａの発信規制加入者選択部４６は、新たに処理する加入者のＩＤを加入者毎規制管理ＴＢ４７から取得する。
このようにして、基地局１１ａは、発着信規制する加入者の情報を加入者毎規制管理ＴＢ４７に設定する。従って、基地局１１ａの規制制御部４８は、加入者毎規制管理ＴＢ４７を参照して、加入者の発着信規制をすることにより、輻輳レベルに応じた加入者の発着信規制が可能となる。
【０１０７】
また、時間帯に応じて加入者の優先加入者情報を管理するため、例えば、昼は会社周辺、夜は自宅周辺が優先エリアになるなど、より生活スタイルに対応したエリアでの通信手段の確保が可能になる。
【０１０８】
なお、上記では、規制端末管理サーバは、ＲＮＣから通信情報を受信するとしたが、基地局から通信情報を受信するようにしてもよい。また、優先加入者情報を、ＲＮＣを介さず、直接基地局に配信するようにしてもよい。
【０１０９】
（付記１）  無線端末の発着信を規制する規制端末管理装置において、
加入者が前記無線端末を用いて行った通信回数を含む、前記加入者の発着信における優先度を示した優先度情報を基地局単位で記憶する優先度情報記憶手段と、
前記無線端末の通信に関する通信情報を、前記基地局または前記基地局を制御する無線ネットワーク制御装置から受信する通信情報受信手段と、
前記通信情報の受信に基づいて前記優先度情報記憶手段の前記通信回数を更新し、更新した前記通信回数に基づいて前記優先度情報の優先順を判断する優先度判断手段と、
前記優先度情報記憶手段に記憶されている前記優先度情報を、前記基地局に送信する優先度情報送信手段と、
を有することを特徴とする規制端末管理装置。
【０１１０】
（付記２）  優先度判断手段は、前記通信情報受信手段によって、前記通信情報が受信された場合、前記通信回数を１増加させることを特徴とする付記１記載の規制端末管理装置。
【０１１１】
（付記３）  前記優先度情報送信手段は、前記優先度情報を周期的に前記基地局に送信することを特徴とする付記１記載の規制端末管理装置。
（付記４）  前記優先度情報送信手段は、前記無線ネットワーク制御装置を介して、前記優先度情報を前記基地局に送信することを特徴とする付記１記載の規制端末管理装置。
【０１１２】
（付記５）  前記基地局は、優先度の高い前記加入者から順に、輻輳状態に応じた人数分の発着信を許可することを特徴とする付記１記載の規制端末管理装置。
（付記６）  前記優先度情報記憶手段は、時間帯別に前記優先度情報を管理することを特徴とする付記１記載の規制端末管理装置。
【０１１３】
（付記７）  前記加入者情報には、前記加入者の識別子、前記加入者が通信を行った前記基地局の識別子、および通信時間が含まれることを特徴とする付記１記載の規制端末管理装置。
【０１１４】
（付記８）  前記優先度判断手段は、前記通信回数の他に前記加入者情報に含まれる情報に基づいて、前記加入者の前記優先度を決定することを特徴とする付記７記載の規制端末管理装置。
【図面の簡単な説明】
【０１１５】
【図１】規制端末管理装置の概要を説明する図である。
【図２】規制端末管理サーバを適用した無線通信ネットワークのシステム構成例を示した図である。
【図３】規制端末管理サーバの機能ブロック図である。
【図４】基地局毎加入者情報管理ＴＢのデータ構成例を説明する図である。
【図５】基地局毎優先加入者情報ＴＢのデータ構成例を説明する図である。
【図６】ＲＮＣの機能ブロック図である。
【図７】基地局の機能ブロック図である。
【図８】優先加入者情報ＴＢのデータ構成例を示した図である。
【図９】フラグ設定された優先加入者情報ＴＢのデータ構成例を示したである。
【図１０】発信優先数ＴＢのデータ構成例を示した図である。
【図１１】加入者毎規制管理ＴＢのデータ構成例を示した図である。
【図１２】無線ネットワークシステムのデータの流れを説明する図である。
【図１３】無線通信ネットワークのシーケンス図のその１である。
【図１４】無線通信ネットワークのシーケンス図のその２である。
【図１５】規制端末管理サーバの加入者情報の更新動作を示したフローチャートである。
【図１６】規制端末管理サーバの優先度の決定動作を示したフローチャートである。
【図１７】基地局の加入者毎規制管理ＴＢの設定動作を示したフローチャートである。
【図１８】基地局の加入者毎規制管理ＴＢの設定動作を示したフローチャートである。
【符号の説明】
【０１１６】
１  規制端末管理装置
１ａ  優先度情報記憶手段
１ｂ  通信情報受信手段
１ｃ  優先度判断手段
１ｄ  優先度情報送信手段
２ａ〜２ｃ，３ａ〜３ｃ  基地局
４ａ，４ｂ  無線ネットワーク制御装置
５  無線端末
【図１】
2008060804.tif 000003
【図２】
2008060804.tif 000004
【図３】
2008060804.tif 000005
【図４】
2008060804.tif 000006
【図５】
2008060804.tif 000007
【図６】
2008060804.tif 000008
【図７】
2008060804.tif 000009
【図８】
2008060804.tif 000010
【図９】
2008060804.tif 000011
【図１０】
2008060804.tif 000012
【図１１】
2008060804.tif 000013
【図１２】
2008060804.tif 000014
【図１３】
2008060804.tif 000015
【図１４】
2008060804.tif 000016
【図１５】
2008060804.tif 000017
【図１６】
2008060804.tif 000018
【図１７】
2008060804.tif 000019
【図１８】
2008060804.tif 000020